Podtech/llm-jp-corpus-v4-ja_patent huggingface dataset:
(57)【要約】【課題】  朝・晩等特定時間に、ドアを施錠し、不審者の侵入を防ぐとともに、この時間だけ、インターホンと（ＩＣ）カード・指紋等で入場を管理し、管理者の負担を軽減しつつ、特定時間以外は管理者の了承を必要とする入場管理システムをつくること。【解決手段】  自動（スケジュール管理等）または手動のスイッチで、（ＩＣ）カード・指紋等の入場管理システムを有効（接続等）、無効（切断等）にする手段を設けた。【選択図】  図１
2005264699.tif 000002
【特許請求の範囲】
【請求項１】
保育所等で、朝・晩等特定時間にインターホンと（ＩＣ）カード・指紋等で入場を許可し、その他の時間ではインターホンのみ入場を許可する保育所等入場管理システム
【発明の詳細な説明】
【技術分野】
【０００１】  本発明は、保育所等で、朝・晩等特定時間（園児等の預けいれ、おむかえ等）に、ドアを開放していることによる不審者侵入等の危険をさける為、ドアを施錠し、管理者の負担を軽減しつつ、入場管理ができるようにしたものである。
【背景技術】
【０００２】  従来、保育所等の朝・晩等特定時間（園児等の預けいれ、おむかえ等）では、ドアを開放し、出入りを自由にしている。また、施錠している場合、終日、インターホンまたは（ＩＣ）カード・指紋等で入場管理をしている。【０００３】  しかしながら、ドアを開放している場合、不審者が容易に侵入する危険がある。また、インターホンでは、人数が多い場合、管理者の負担が大きい。（ＩＣ）カード・指紋等では、終日、管理者の了承なしに出入りが可能になってしまう。
【発明の開示】
【発明が解決しようとする課題】
【０００４】  朝・晩等特定時間に、ドアを施錠し、不審者の侵入を防ぐとともに、この時間だけ、インターホンと（ＩＣ）カード・指紋等で入場を管理し、管理者の負担を軽減しつつ、特定時間以外は管理者の了承を必要とする入場管理システムをつくること。これが、この発明が解決しようとする課題である。
【課題を解決するための手段】本発明は、自動（スケジュール管理等）または手動のスイッチで、（ＩＣ）カード・指紋等の入場管理システムを有効（接続等）、無効（切断等）にする手段を設けたものである。
【発明の実施例】
【０００５】  図１は本発明の構成図を示した図である。１１は、インターホン（呼出側）であり、入場に際し、管理側に許可を得る装置である。１２は、インターホン（管理側）であり、１１からの呼出に対し入場の許可をする装置である。１３は電子錠制御部であり、電子錠の開閉の制御及び状態を管理する装置である。１４は（ＩＣ）カード・指紋制御部であり、（ＩＣ）カードリーダまたは指紋リーダーからの入力を判別して、１３に指示をあたえる装置である。１５は（ＩＣ）カード・指紋リーダー部であり、入場にさいし、（ＩＣ）カードまたは指紋を読み取る装置である。１６は電子錠であり、ドアの開閉等を行う。１３１は１３に内蔵（又は外付け）されているスイッチであり、１４からの指示の有効（接続等）、無効（切断等）を自動（スケジュール管理等）または手動で行う。１３２は１３と１４の接続の間にあるスイッチであり、１４からの指示の有効（接続等）、無効（切断等）を自動（スケジュール管理等）または手動で行う。１４１は１４に内蔵（又は外付け）されているスイッチであり、１５からの指示の有効（接続等）、無効（切断等）を自動（スケジュール管理等）または手動で行う。（１４の電源スイッチとしての利用も含まれる。）１４２は１４と１５の接続の間にあるスイッチであり、１５からの指示の有効（接続等）、無効（切断等）を自動（スケジュール管理等）または手動で行う。１５１は１５に内蔵（又は外付け）されているスイッチであり、１５から自身の読み取り機能の有効（接続等）、無効（切断等）を自動（スケジュール管理等）または手動で行う。（１５の電源スイッチとしての利用も含まれる。）点線で示した１３１、１３２、１４１、１４２、１５１は全て必要という訳ではなく、そのうち一つ必要である。１１は１２に接続されている。１２は１３に接続されている。１３は１６に接続されている。また、１３は１４に接続されている。１４は１５に接続されている。１３１は１３に内蔵（又は外付け）されている。１３２は１３と１４の接続の間に配置されている。１４１は１４に内蔵（又は外付け）されている。１４２は１４と１５の接続の間に配置されている。１５１は１５に内蔵（又は外付け）されている。
朝・晩等特定時間にインターホンと（ＩＣ）カード・指紋等で入場を許可する場合を説明する。特定時間になると、１３１、１３２、１４１、１４２、１５１のスイッチを自動（スケジュール管理等）または手動でオン（接続等）の状態にする。保護者等、あらかじめ（ＩＣ）カードを持った人、または、指紋登録された人が、１５の（ＩＣ）カード・指紋リーダー部にて、個人で情報を読み取らせ、１４２を介し、１４の（ＩＣ）カード・指紋制御部で判別して、１３２を介し、１３の電子錠制御部に対し、入場（ドアの解錠）を指示する。そして、１３の電子錠制御部は、１６の電子錠に対し、入場（ドアの解錠）を指示し、ドアは解錠される。（ＩＣ）カードを持っていない人、または、指紋登録されていない人は、１１のインターホン（呼出側）で、１２のインターホン（管理側）に対し、入場（ドアの解錠）を要望する。管理側が許可した場合、１２のインターホン（管理側）は、１３の電子錠制御部に対し、入場（ドアの解錠）を指示する。そして、１３の電子錠制御部は、１６の電子錠に対し、入場（ドアの解錠）を指示し、ドアは解錠される。
朝・晩等特定時間以外のインターホンのみの入場を許可する場合を説明する。特定時間を過ぎると、１３１、１３２、１４１、１４２、１５１のスイッチを自動（スケジュール管理等）または手動でオフ（切断等）の状態にする。１３の電子錠制御部に対し１４の（ＩＣ）カード・指紋制御部からの指示が無効（切断等）になるため、１２のインターホン（管理側）のみ有効となる。
（点線で示した１３１、１３２、１４１、１４２、１５１は全て必要という訳ではなく、そのうち一つ必要である。）
【発明の効果】
【０００６】  このようにすれば、朝・晩等特定時間に、ドアを施錠し、不審者の侵入を防ぐとともに、この時間だけ、インターホンと（ＩＣ）カード・指紋等で入場を管理し、管理者の負担を軽減しつつ、特定時間以外は管理者の了承を必要（インターホンのみ有効）とする入場管理システムをつくることが可能になる。
【図面の簡単な説明】
【図１】本発明の構成図である。
【符号の説明】
１１    インターホン（呼出側）
１２    インターホン（管理側）
１３    電子錠制御部
１４    （ＩＣ）カード・指紋制御部
１５    （ＩＣ）カード・指紋リーダー部
１６    電子錠
１３１  スイッチ
１３２  スイッチ
１４１  スイッチ
１４２  スイッチ
１５１  スイッチ
【図１】
2005264699.tif 000003
(57)【要約】      （修正有）【課題】現在でも免震対策は、数多く存在するが、今までに全く無かった視野からの発想から生まれた工法で、地震災害から家屋を守ろうと考えた基礎工法を提供する。【解決手段】地盤Ａと基礎Ｂの間に、摩擦力を弱める物質、又、免震装置Ｅを挟み、地盤の揺れを基礎建築物に伝達させない工法である。【選択図】図２
2005264692.tif 000002
【特許請求の範囲】
【請求項１】
基本型である構造から生まれる原理工法
【請求項２】
図Ｅの免震装置
【請求項３】
図Ｄの安定装置
【発明の詳細な説明】
【技術分野】
【０００１】  地震に対する建物家屋の崩壊防止。
［背景技術］【０００２】  在来工法には無い工法である。
［発明の開示］
［発明が解決しようとする課題］【０００３】  在来しなかった工法の為、特になし．ただし、免震金具などはあるが、工法が異なる。
［課題を解決するための手段］【０００４】  この発明は、免震対策の完璧をもとめて考えた奇抜な発想から生まれたアイディアです。
在来工法は、基礎と建築物との間に置かれた、免震工法であるのに対し、本発明は、基礎そのものの中に免震を施すものである。
［発明の効果］【０００５】  この発明を実施する事で、建築物の崩壊が完全に防止され、地震からの安全がより改善される。
本発明の原理を簡単に説明すると、“ダルマ落し”また“テーブルクロス上に置かれたグラスなどを寸分も動かさずしてクロスのみを取り去る芸“より生まれた発想だが、在来工法においては、地盤と基礎部分は固定されているものという観点から構築されている為、基礎と建築物の間に免震装置が、設置されているケースが多い。
本発明は、地盤と基礎部分を切り離す事により、地盤振動で生まれた力を建物に伝達される力を弱めるという工法である。
図１に示されている地盤（Ａ）が、左右からの大きな力により振動する事（地震）によって、建築物は固定式（在来工法）では、地盤で生まれた力は、そのまま等しい力で伝達されてしまうが、本発明では地盤（Ａ）力は、基礎基礎（Ｂ）には摩擦軽減物質（Ｃ）により（Ｆ）摩擦力が軽減され、建物本体の揺れが抑えられる。
＊本発明の画期的な特長は、（Ａ）地震の力が大きいほど、その効果は倍増する。即ち、地震が大きければ大きいほど効果が発揮されるということである。
［実施例］【０００６】  図１  基本型
（Ａ）底板コンクリートに杭
（Ｂ）基礎底部分を水平にしたフーチンと立上基礎。
（Ｙ）図Ｙに示された先端カット部分は、（Ｆ）摩擦力を弱める為のアイディアである。
（Ｃ）摩擦軽減物質の材料
１、砂
２、砕石
３、ゴムダスト
４、球体状物質
５、横振免震装置
［実施例２］【０００７】  図２  応用型
応用型では、基本型に（Ｃ）部分に図のような免震装置の設置により、より振動をおさえた完全型である。
（Ｃ）部分に設置された免震装置
（Ｄ）振動した建物の安定装置。（スプリング状）
（Ｅ）この工法は、地震の力が大きくなればなるほど振動に対する効果が大きく現れるという特長の為、Ｅを設置する事で、小さな振動の効果にも対応するものである。又、（Ｃ）に発生した（Ｆ）摩擦力を弱める効果を生む。
（Ｋ）摩擦軽減材から（Ｅ）装置を保護するものである。
ゴムタイヤ形状である。
（Ｇ）円形で内部は湾曲しており、テーパー状に加工されたものである。
（Ｈ）球体形（ボールベアリング状）
これらの装置はすべて頑固に固定されている。
＊（Ｃ）摩擦軽減材は、自然転圧とする。
【図面の簡単な説明】
【０００８】    ［図１］  本発明の断面図
［図２］  横振免震装置の実施例の断面図
［図３］  安定装置実施例断面図
［図４］  本発明の応用型の断面図
［符号の説明］【０００９】Ａ  地盤（打設コンクリート）
Ｂ  基礎
Ｃ  摩擦軽減物質
Ｄ  建築物安定装置（スプリング状）
Ｅ  免震装置全体
Ｇ  免震装置の一部分
Ｈ  球体（ボールベアリング状）
Ｙ  （打設コンクリートの形体）
Ｊ  安定装置全体
2005264692.tif 000003
【図１】
2005264692.tif 000004
【図２】
2005264692.tif 000005
【図３】
2005264692.tif 000006
【図４】
2005264692.tif 000007
【手続補正書】
【提出日】平成16年5月25日(2004.5.25)
【手続補正１】
【補正対象書類名】明細書
【補正対象項目名】補正の内容のとおり
【補正方法】変更
【補正の内容】
2005264692.tif 000008
2005264692.tif 000009
2005264692.tif 000010
2005264692.tif 000011
【手続補正書】
【提出日】平成16年8月9日(2004.8.9)
【手続補正２】
【補正対象書類名】手続補正書
【補正対象項目名】手続補正１
【補正方法】変更
【補正の内容】
【手続補正１】
【補正対象書類名】明細書
【補正対象項目名】０００９
【補正方法】変更
【補正の内容】
【０００９】    １  地盤
２  基礎
３  摩擦軽減材
４  せん断効果を促す形状
５  横振免震装置
６  安定復元を促すスプリング
７  摩擦軽減材からの保護クッション
８  抗
９  ボールベアリング


【手続補正２】
【補正対象書類名】手続補正書
【補正対象項目名】手続補正２
【補正方法】追加
【補正の内容】
【手続補正２】
【補正対象書類名】図面
【補正対象項目名】全図
【補正方法】変更
【補正の内容】
【図１】
2005264692.tif 000012
【図２】
2005264692.tif 000013
【図３】
2005264692.tif 000014
【図４】
2005264692.tif 000015
(57)【要約】【課題】    積雪堆積物を融解させるための装置を提供する。【解決手段】    熱線付ブロアー（１）の先端に十字型等の表面積が大きく、側面に多数の穴が開き、ブロアから送られた熱風がこれらの多数の穴から送出されることを特徴とした熱風送出治具（３）を取り付けたことを特徴とする。【選択図】    図１
2005264698.tif 000002
【特許請求の範囲】
【請求項１】
熱線付ブロアーまたはブロアーの送風口に空気加熱器を取り付けた装置（以下、熱線付きブロアー等という）の送風口に熱風を多数の穴から放出する治具を装着し、積雪堆積物に差し込み、熱風を送風することによって融雪を加速させる装置
【発明の詳細な説明】
【発明の詳細な説明】
【技術分野】
【０００１】  本装置は、積雪時における除雪及び融雪を目的とし、車道脇、駐車場等で重機除雪後、端に山積み状態の雪（以下、積雪堆積物という）が長期間融けずに放置されている状況を解消する装置である。短期間に降雪が続くと、雪捨場所確保が困難となり駐車スペースも制限される。装置としては、家庭用では肩掛け式、業務用ではキャスター付の大型化した装置を考えている。
【背景技術】
【０００２】  従来、スコップ等で切り崩して太陽光で融けるのを待つだけであった。また、水・熱湯等をかけても融雪はできるが、周囲が水びたしになったり広い駐車場等では熱湯等を繰り返し運んだりできない。
【発明が解決しようとする課題】
【０００３】  基本的にはドライヤーの大型化したものと認識すると解り易いが単に熱風を当てるだけでは積雪堆積物には内部に空気層が含まれるため空気の断熱効果により内部に熱が伝わらず融雪に時間がかかる。
【課題を解決するための手段】
【０００４】  上記課題解決する為、多面多穴の治具を積雪堆積物に差込んで熱風を送り込むことにより融雪速度を速めることができる。
【発明を実施するための最良の形態】
【０００５】  以下、本発明の実施の形態について説明する。
（イ）．ブロア（１）の先端に熱線ヒータ（２）が取り付けられた熱線付きヒータ、もしくはブロアの先端部に熱線ヒータを取り付けた治具を取り付け、さらにその先に十字型等の表面積が大きく、多数の穴の開いた熱風送出治具（３）をブロア接続口（４）より取り付ける。
（ロ）．熱風送出治具は、ブロア接続口の穴よりブロアからの熱風を送り出し、熱風送出治具側面等に開けた多数の穴より送出する構造とする。
（ハ）．積雪堆積物（５）に熱風送出治具（３）を差込み、次に熱線付ブロアー等を治具と接続して積雪堆積物内に熱風を送り、積雪堆積物内部から融雪を促進する。
（ニ）．必要に応じ、積雪堆積物中の他の場所に、上記（ハ）の操作を行い、積雪堆積物の内側に熱を送ることにより、堆積物内部の複数の箇所からも融雪を促進する。
【発明の効果】
【０００６】  本発明の使用により、店舗、家庭等の駐車場や道路脇等の積雪堆積物の融雪が加速されるため、駐車スペースの確保、周囲の視界の確保による交通事故防止に寄与する。
【図面の簡単な説明】
【図１】  本発明の概略図である。
【図２】  本発明の使用状態を示す概略図である。
【符合の説明】
１  ブロア本体
２  熱線ヒータ
３  熱風送出治具
４  ブロア接続口
５  積雪堆積物
【図１】
2005264698.tif 000003
【図２】
2005264698.tif 000004
(57)【要約】【課題】  男性が男女兼用便器を使用して放尿するときに尿が横の壁に飛散するのを防ぐために便座裏の横部分と便器本体上横部分との間に脱着可能な折りたたみ式尿飛散防止硬質シートを提供する。【解決手段】  便座裏横部（３）の便座裏部支柱部分（５）に折りたたみ式尿飛散防止硬質シート本体（２）のシート上部の取り付け穴部分（６）をはめ込みシート脱落防止栓（７）でシートを止め、その硬質シート下部鍵型部分（４）で便座本体の上横部（１）に固定し、便座を上に起こしたときに折りたたみ式尿飛散防止硬質シートが便器本体の上横部（１）と便座裏横部（３）の間に張られるのが特徴である。【選択図】  図１
2005264700.tif 000002
【特許請求の範囲】
【請求項１】
便器（１）の両横上に折りたたみ式硬質シート、厚さ約２ミリのビニール製シート、以下は折りたたみ式尿飛散防止硬質シートと称する（２）を設け、便座裏横部（３）に折りたたみ式尿飛散防止硬質シート（２）を設けた、脱着可能の折りたたみ式尿飛散防止硬質シート。
【発明の詳細な説明】
【発明の詳細な説明】
【技術分野】
【０００１】  この発明は便器本体上部両横と便座下部両横に脱着可能の折りたたみ式硬質シートをつけた折りたたみ式尿飛散防止硬質シートに関するものである。
【背景技術】
【０００２】  従来、男女兼用便器の便座を立てたときにその便座と便器両横に尿飛散防止のためのシート又は壁は無くまわりに尿が飛散していた。
【発明が解決しようとする課題】
【０００３】  これは次のような欠点があった。
従来、男女兼用便器を使用して男性が立った状態で放尿したときに一度便器の中に入った尿が跳ね上がりトイレ内の横の壁に飛散し、壁が汚れる。
本発明は、以上のような欠点をなくすためになされたものである。
【課題を解決するための手段】
【０００４】  便器本体の上横（１）に硬質シート下部鍵型部分（４）をはめ込み、便座裏横部（３）の便座裏支柱部分（５）に硬質シート上部の取り付け穴部分（６）をはめ込みその上からシート脱落防止詮（７）をはめ込み、折りたたみ式尿飛散防止硬質シートを設ける。
本発明は、以上の構成よりなる折りたたみ式尿飛散防止硬質シートである。この折りたたみ式尿飛散防止硬質シートをつけることにより飛散した尿がシートに遮られトイレ内の横の壁が汚れなくなる。
【発明を実施するための最良の形態】
【０００５】  以下、本発明の実施の形態について説明する。
便器の上横（１）に硬質シート下部の鍵型部分（４）をはめ込み、便座裏支柱部分（５）にシート上部の取り付け穴部分（６）の穴をはめ込みート脱落防止栓（７）を着けるだけで簡単に設置できる。
本発明は、以上のような構造でこれを使用するときは、便座を上に起こすだけで便器上部横と、上に起こされた便座裏部横の間にシートが張られる。このシートにより尿の飛散が防止できる。
【発明の効果】
【０００６】  便座部分裏部にシート上部が固定されているため便座を起こすだけで便器本体横部と便座横部の間にシートを張ることができ簡単に使用でき今までの欠点である尿の飛散を防止し、トイレ内の横壁が飛散した尿によって汚れなくなる。女性が使用するときは便座を下ろしている上体では便器横部に折りたたまれているので使用することに支障をきたさない。このシートは簡単に取り外せるため汚れたときの掃除が簡単に出来る。
【図面の簡単な説明】
【図１】本発明の分解斜視図である。
【図２】本発明の正面図である。
【図３】本発明の正面図である。
【符号の説明】
１  便器本体の上横部
２  折りたたみ式尿飛散防止硬質シート本体
３  便座裏横部
４  硬質シート下部鍵型部分
５  便座裏部支柱部分
６  シート上部の取り付け穴部分
７  シート脱落防止栓
【図１】
2005264700.tif 000003
【図２】
2005264700.tif 000004
【図３】
2005264700.tif 000005
(57)【要約】      （修正有）【課題】従来の洗濯機パンでは、洗濯機パンの床下配管が見えないために、設置、配管及び点検作業において、寸法決め、接合、水平取り等が極めて煩雑であるため、手間がかかると同時に作業効率が悪く、施工時間が多く要するという課題があった。【解決手段】従来の洗濯機パンのように、洗濯機パンの床下配管が見えないものではなく、洗濯機パン本体に作業点検用の開口部を設け、その開口部に取り外しができる蓋をすることで、洗濯機パンの床下配管が見えるようにした。【選択図】図３
2005264696.tif 000002
【特許請求の範囲】
【請求項１】
洗濯機を設置するときに使用する洗濯機パン本体に作業点検用の開口部を設け、その開口部に取り外しができる蓋を付ける。このことによって洗濯機パンの床下配管が見えるので、作業及び点検が容易にできるようにした洗濯機パン。
【発明の詳細な説明】
【技術分野】
【０００１】本発明は、作業及び点検を容易にする形状にした洗濯機パンに関する
【背景技術】
【０００２】従来の洗濯機パンでは、施工作業面で洗濯機パンの床下配管が見えないために、排水管と接続する場合、洗濯機パンを仮設置して、各部材の寸法を合わせてから、配管、取り付けするのが通常で、そのため作業が煩雑になり、現場での作業効率が悪く、施工時間を多く要している。【０００３】また、従来の洗濯機パンでは、建築仕上工事が完了後、洗濯機パンの設置、取り付けを行なうために、建物壁面と洗濯機パン本体の位置合わせや排水管の寸法取り、トラップの水平出しなどをしなければならない。この作業では、建物壁面とのズレや隙間などの不具合が生じやすく、やり直し作業が起こり易い。【０００４】従来の洗濯機パンでは、洗濯機パンの床下配管が見えないために、配管の接着不良や不具合等の原因による水漏れの通水確認試験ができない。万一、施工不良で水漏れがある場合には、洗濯機パン本体を取り外さないと補修できないために手間のかかる作業を強いられる。【０００５】さらに、従来の洗濯機パンでは、排水管と洗濯機パンとの接合のため、予め洗濯機パンを仮設置し、寸法決め、水平出し等の配管作業をした後、洗濯機パン本体を固定する。この際、建物壁面との間にズレや隙間ができたり、締め付けたときにトラップ本体が回転することで、配管の歪みフレキ等の捻れにより、その調整に手間取り、概して接着不良や接合角度不具合などで、水漏れの原因になっている。【０００６】従来の洗濯機パンでは、設置完了後の水漏れ検査、不具合調整などを行なう場合に、洗濯機パンの床下配管が見えないために、洗濯機パン本体を取り外してから検査をしなければならない。そのため再設置を含めて作業時間が多くかかる。
【発明が解決しようとする課題】
【０００７】しかしながら、従来の洗濯機パンでは熟練した技術者であっても、現場での設置配管作業には、洗濯機パンの床下配管が見えないために、ほとんど改善の余地がない。したがって、上述のような従来の洗濯機パンによる設置、配管作業では、十分ではないという課題があり、さらに優れた洗濯機パンが望まれているのが現状である。本発明では、上記従来の洗濯機パンの課題を解消しようとするものであり、優れた洗濯機パンを提供するのが目的である。
【課題を解決するための手段】
【０００８】本発明は、従来の洗濯機パンのような洗濯機パンの床下配管が見えないものではなく、洗濯機パン本体に作業点検用の開口部を設け、その開口部に取り外しができる蓋を付けることで、洗濯機パンの床下配管が見えるようにした優れた洗濯機パンを見い出した。
【発明の効果】
【０００９】本発明では、洗濯機パンを先に固定した後、排水トラップと排水管の取り付けの場合に各部材の寸法合わせ、配管等の様々な作業で、洗濯機パンの床下配管が見えるので作業が簡便になり、施工時間を大幅に短縮できる。
【００１０】さらに、建物壁面と洗濯機パンの位置合わせや排水管の寸法取りなど等が容易になり、また設置前に、洗濯機パン本体に排水トラップの取り付けもできるので、これまで調整に手間がかかったトラップの水平出しは必要なくなる。そのため配管作業をする上で、不具合調整などの煩雑さが解消し、作業効率を高める。
【００１１】また、洗濯機パンの床下配管が見えるために、配管の接着不良や不具合等の原因による水漏れの通水確認試験ができる。万一、施工不良で水漏れがある場合には、洗濯機パン本体は設置したままで、洗濯機パン本体の蓋を取り外すだけで補修ができる。
【００１２】本発明では、洗濯機パンの床下配管が見えるために、排水管と洗濯機パンの排水トラップの取り付けで、位置や寸法合わせ等の作業が、容易になることから施工精度が高まり、接着不良や接合不具合などがほとんどなくなり、かつ排水管を固定することができ、水漏れの原因を削減できる。
【００１３】また、設置完了後、水漏れ検査、不具合調整などを行なう場合に、洗濯機パン本体をそのままで、洗濯機パン本体の蓋を取り外すだけで検査をすることができる。そのため手間と作業時間は大幅に削減される。
【発明の実施例】
【００１４】以下、本発明の実施例を図１〜図７に基づいて説明する。
【００１５】図１では、洗濯機パン本体１に開口部２を設けたものを、斜め上から見たもので、図２では、開口部２に蓋３をした状態です。
【００１６】図３と図４は洗濯機パン本体１の開口部２を真上から見た２つの実施例で、開口部２には、パッキン５の部分及びネジ穴６と同様の他のネジ穴にも蓋３を合わせて固定します。
【００１７】図５は洗濯機パン本体１の開口部２に蓋３をしたもので、図６はその断面図を示し、蓋３をパッキン５及びネジ穴６に、止めネジ７を合わせ固定した。
【００１８】図７は洗濯機パン本体１と開口部２を蓋３で固定した一部分を拡大したものであり、洗濯機パン本体１と蓋３の間に、防水のためのパッキン５を挟み、止めネジ７で固定した。
【図面の簡単な説明】
【００１９】
【図１】本発明の実施形態を示す洗濯機パンの斜め上から見た外観図
【図２】同洗濯機パンの斜め上から見た外観図
【図３】同洗濯機パン真上から見た図
【図４】同洗濯機パン真上から見た図
【図５】同洗濯機パンの蓋をした平面図
【図６】同洗濯機パンの図５におけるＡ−Ａ線断面図
【図７】同洗濯機パンの図６における○部分の拡大図
【符号の説明】
【００２０】１  洗濯機パン本体
２  開口部
３  蓋
４  排水トラップ
５  パッキン
６  ネジ穴
７  止めネジ
【図１】
2005264696.tif 000003
【図２】
2005264696.tif 000004
【図３】
2005264696.tif 000005
【図４】
2005264696.tif 000006
【図５】
2005264696.tif 000007
【図６】
2005264696.tif 000008
【図７】
2005264696.tif 000009
(57)【要約】【課題】  住宅等の建物に敷設される床材であり、木質板と、化粧単板とを、紙材を介して一体化してなる床材であって、接着剤を塗る工程が省略できて、手間をかけることなく一体化できる床材を提供する。【解決手段】  合板、ＭＤＦ等の木質板１と、各種木材の突板等の化粧単板２とを、紙材５を介して一体化してなる床材において、紙材５が、紙３の表裏面に、樹脂４をラミネートまたは含浸により付着させた紙材５であることを特徴とする床材。また、前記樹脂４が、メラミン樹脂又は高密度ポリエチレン（ＨＤＰＥ）であることを特徴とする床材。【選択図】図１
2005264641.tif 000002
【特許請求の範囲】
【請求項１】
木質板と、化粧単板とを、紙材を介して一体化してなる床材において、紙材が、紙の表裏面に、樹脂をラミネートまたは含浸により付着させた紙材であることを特徴とする床材。
【請求項２】
前記樹脂が、メラミン樹脂又は高密度ポリエチレン（ＨＤＰＥ）であることを特徴とする請求項１記載の床材。
【発明の詳細な説明】
【技術分野】
【０００１】
本発明は、住宅等の建物に敷設する床材に関し、詳しくは木質板と、化粧単板とを、紙材を介して一体化してなる床材に関するものである。
【背景技術】
【０００２】
床材として、合板等の木質板の表面に、突板等の化粧単板を配設した床材が汎用されている（特許文献１の従来の技術欄参照）。表面に化粧単板を配設した床材においては、耐凹み性等を向上するために木質板と、化粧単板とを、紙材を介して一体化することがおこなわれている。その場合、まず合板等の木質板に、接着剤を塗り、紙を載せ、この紙に接着剤を塗り、化粧単板を載せてホットプレスして一体化される。この場合、接着剤は２回塗るため、手間がかかるという問題があった。また、接着剤にはホルマリンを含むものがあり、ホルマリン放散量の多い床材になることがあるという課題もあった。
【特許文献１】特開２００３−１４７９５０号公報
【発明の開示】
【発明が解決しようとする課題】
【０００３】
本発明は、上記背景技術に鑑みて発明されたものであり、その課題は、木質板と、化粧単板とを、紙材を介して一体化してなる床材であって、接着剤を塗る工程が省略できて、手間をかけることなく一体化できる床材を提供することである。
【課題を解決するための手段】
【０００４】
上記課題を解決するために、請求項１に係る発明は、木質板と、化粧単板とを、紙材を介して一体化してなる床材において、紙材が、紙の表裏面に、樹脂をラミネートまたは含浸により付着させた紙材であることを特徴としている。このようにすることで、接着剤を塗る工程が省略できて、手間をかけることなく一体化できる床材となる。
【０００５】
請求項２に係る発明は、請求項１記載の床材において、前記樹脂が、メラミン樹脂又は高密度ポリエチレン（ＨＤＰＥ）であることを特徴としている。このようにすることによって、床材の耐クラック性が良好となる。
【発明の効果】
【０００６】
本発明の床材においては、紙材が、紙の表裏面に、樹脂をラミネートまたは含浸により付着させた紙材であるので、本発明の床材は、木質板と、化粧単板とを、紙材を介して一体化してなる床材であって、接着剤を塗る工程が省略できて、手間をかけることなく一体化できる床材となる。
【発明を実施するための最良の形態】
【０００７】
以下、本発明の好ましい実施の形態について説明する。
【０００８】
図１は、本発明の一実施形態を説明するための断面図である。図１に示すように、この実施形態では、木質板１と、化粧単板２とを、紙材５を介して一体化してなる床材であり、一体化する方法は特に制限されないが、ホットプレスして一体化することが効率の点で好ましい。
【０００９】
木質板１としては、合板、ＭＤＦ等を使用することができる。化粧単板２としては、各種木材の突板等を使用することができる。そして、紙材５は、図１に示すように、紙３の表裏面に、樹脂４をラミネートまたは含浸により付着させたものである。紙３としては、特に限定するものではないが、目付け量が２０ｇ／ｍ2〜５０ｇ／ｍ2のものを用いることが、強度の点で好ましい。そして、この樹脂４としては、各種の樹脂を使用できるが、メラミン樹脂又は高密度ポリエチレン（ＨＤＰＥ）であると、得られる床材の耐クラック性が良好となるので好ましい。また、樹脂４の融点については、特に限定するものではないが、８０℃〜１００℃のものを紙３の表裏面に付着させることがホットプレスで一体化するためには好ましい。なお、樹脂４の融点が８０℃以上であると、床暖が行われる床への床材とすることもできる。樹脂４の紙３に対する付着量は、特に限定するものではないが、表裏面合計で１００ｇ／ｍ2〜２００ｇ／ｍ2とすることが、良好な接着性を得るためには好ましい。また、ホットプレスする場合のホットプレス条件については、特に限定するものではないが、温度１００℃〜１５０℃で、圧力２９４ｋＰａ〜７８４ｋＰａ（３ｋｇ／ｃｍ2〜８ｋｇ／ｃｍ2）、圧締時間４０秒〜９０秒とすることが好ましい。
【００１０】
この実施形態では、ラミネートまたは含浸により樹脂４を表裏面に付着した紙材５を用いて、木質板１と、化粧単板２とを、紙材５を介して一体化しているので、接着剤を使用することがない。従って、この実施形態の床材は、接着剤を塗る工程が省略できて、手間をかけることなく一体化できる床材となる。
【００１１】
そして、この実施形態の床材は、接着剤を使用することなく製造可能であるので、ホルマリン放散量を抑えた床材とすることができる。また、樹脂として、高密度ポリエチレン（ＨＤＰＥ）又はメラミン樹脂を使用すると、得られる床材の耐クラック性が良好となるため、従来困難であった化粧単板２がナラ単板の場合の耐クラック性の改良を達成することができる。
【図面の簡単な説明】
【００１２】
【図１】本発明の床材の一実施形態を説明するための断面図。
【符号の説明】
【００１３】
１  木質板
２  化粧単板
３  紙
４  樹脂
５  紙材
【図１】
2005264641.tif 000003
(57)【要約】【課題】  一般家庭や企業等においては、環境に配慮して雨水利用の拡大が図られているが、降り始めの雨水は酸性度が高く、昆虫の死骸や木の葉、さらには砂塵が混入するなど、貯留しようとする雨水の水質を選択して取水することが困難であった。  この発明は、上記の課題を解決しようとするもので、降り始めの雨水は取水しないようにして、その後の良質な雨水を貯留する雨水貯水タンクを提供することにある。【解決手段】  雨水貯水タンクに滞留槽（２）を具備して、降り始めの雨水の一定量を（２）に受け、その後の良質な雨水を貯水タンク（７）に貯留する仕組みを開発した。  また、（７）の水位が上昇すると、フロート（１０）の作用により（２）に滞留する雨水が自動的に排除されるので、降雨の度に行うメンテナンスの必要が全くない雨水貯水タンクとなった。【選択図】  図１
2005264690.tif 000002
【特許請求の範囲】
【請求項１】
雨樋から取り込んだ雨水の降り始めの一定量を滞留槽（２）に受け、（２）が満水となった後はフロート（３）の作用をもって雨水の流れを貯水タンク（７）に誘導し、（７）が満水になるとフロート（１０）の作用により滞留槽（２）の底部に設けた排出口（６）から排水を行うことを特徴とする雨水貯水タンク
【発明の詳細な説明】
【技術分野】
【０００１】  この発明は、酸性度が強く、ごみや砂塵が混入する降り始めの雨水を排除して、その後に得られる雨水を貯留する雨水タンクに関するものである。
【背景技術】
【０００２】  一般家庭や企業等においては、環境に配慮して雨水利用の拡大が図られているが、降り始めの雨水は酸性度が高く、昆虫の死骸や木の葉、さらには砂塵が混入するなど、貯留しようとする雨水の水質を選択して取水することが困難であった。
【発明の開示】
【発明が解決しようとする課題】
【０００３】  この発明は、上記の課題を解決しようとするもので、降り始めの雨水は取水しないようにして、その後の良質な雨水を貯留する雨水貯水タンクを提供することにある。
【課題を解決するための手段】
【０００４】  雨水貯水タンクに滞留槽（２）を具備して、降り始めの雨水の一定量を（２）に受け、その後の良質な雨水を貯水タンク（７）に貯留する仕組みを開発した。
また、（７）の水位が上昇すると、フロート（１０）の作用により（２）に滞留する雨水が排水されて、（２）に雨水が滞留しない初期の状態に還元することを実現した。
【発明の効果】
【０００５】  雨水は、植栽への灌水やトイレの洗浄水として、有効に利用することができる。しかし、降り始めの雨水は空気中の酸性度の高い微粒子を吸収し、また、水源となる屋根の表面はごみや砂塵などの混入物を多く有しているので、これを取り去る技術の開発が望まれてきた。
この発明は、上記の課題の解消に向けて研究されたもので、手間を掛けずに水資源を確保できる技術とその有効活用に寄与するものである。
【発明を実施するための最良の形態】
【０００６】  〔図１〕は雨水貯水タンクの側面の断面図を示すもので、雨水管（１）に接続した管路の入口部に滞留槽（２）を配置する。（２）は降り始めの雨水の一定量を滞留する容量を持ち、フロート（３）を付属する流入口（４）と止水栓（５）を付属する排出口（６）を有する。【０００７】  貯水タンク（７）は雨水を貯留する用に供する容器である。（７）の内部は滞留槽（２）と連絡する円筒状の鞘管（８）を有し、（８）を軸とする案内棒（９）が挿入されている。（９）からはフロート（１０）が分岐する。また、（９）の下端部からは止水栓（５）に操作するチェーン（１１）が、（９）の上部からはフロート（３）を操作するチェーン（１２）がそれぞれに連結される。【０００８】  〔図２〕はこの発明の様態が稼働する時の概念図である。フロート（３）はその基部に歯止めギア（１３）を有する。爪フック（１４）は自重により落下して（１３）の巻き上げ固定器の役割を果たす。【０００９】  案内棒（９）の上部先端は貯水タンク（７）の天版から突出する様態にして水位計の役割を持たせる。また、その先端部に取っ手を設けて、不時の際に人力の操作によりフロート（３）（１０）の作動を補助する。（７）の天版には管理や補修のように供する点検口（１５）を、下部には雨水の取出口（１６）を設ける。
【実施例】
【００１０】  雨水管（１）から滞留槽（２）に取り込まれた降り始めの雨水は、止水栓（５）が閉じた状態であることから（２）に蓄積され、水位がフロート（３）に達してさらに上昇すると、（３）は浮力の作用を受けて流入口（４）の通水を遮断する。この行為により降り始めの雨水を分離する仕組みとすることができる。
この時に、（３）は歯止めギア（１３）と爪フック（１４）の巻き上げ固定器としての働きにより、（４）を閉鎖した状態でその活動を停止する。【００１１】  流入口（４）が閉鎮になると、雨水の流れは貯水タンク（７）の方向に転換され、（７）への貯水が開始される。雨水は（７）に蓄積され、フロート（１０）は水位の上昇と一体になって鞘管（８）に挿入される案内棒（９）を押し上げる運動をする。【００１２】  貯水タンク（７）の水位が〔図２〕に示すＡの位置まで上昇すると、案内棒（９）の上昇はチェーン（１１）に作用して止水栓（５）を引き上げ、排出口（６）を解放して降り始めの雨水の排水が開始される。【００１３】  貯水タンク（７）の水位が〔図２〕に示すＡからＢの位置に到るまでの間は、止水栓（５）が引き上げられて排出口（６）が開口しているので、滞留槽（２）の雨水は排出されてしまう。また、この時にフロート（３）は流入口（４）を閉鎖した状態で活動を停止しているので、取り込まれる雨水は従前のとおり（７）に向けられる。【００１４】  貯水タンク（７）の水位が〔図２〕に示すＢの位置に達すると、案内棒（９）はチェーン（１２）に作用して、フロート（３）に付属する爪フック（１４）を持ち上げ、（３）を固定した状態から解放する。（３）が下降すると、雨水は流れを転換して、流入口（４）から滞留槽（２）を経て、開口している排出口（６）から排水される。【００１５】  雨水の使用により貯水タンク（７）の水位は低減するが、水位が〔図２〕に示すＡの位置より下回ると、止水栓（５）は排出口（６）を閉鎖する状態に復元される。したがって、以降の貯水の開始は水位がＡを下回ってから開始されることになる。
【産業上の利用可能性】
【００１６】  この発明は、良質の雨水を貯留して植栽への灌水やトイレの洗浄水など、いわゆる中水としての活用範囲の拡大を目指すものである。
【図面の簡単な説明】
【００１７】〔図１〕雨水貯水タンクの側面の断面図
〔図２〕雨水貯水タンクが稼働する時の概念図
【符号の説明】
【００１８】  １：雨水管                ２：滞留槽
３：フロート              ４：流入口
５：止水栓                ６：排出口
７：貯水タンク            ８：鞘管
９：案内棒              １０：フロート
１１：チェーン            １２：チェーン
１３：歯止めギア          １４：爪フック
１５：点検口              １６：取出口
【図１】
2005264690.tif 000003
【図２】
2005264690.tif 000004
(57)【要約】【課題】  家内で飼っているペットにひっかき傷等を付けられない網戸を提供する。【解決手段】  網戸に対してペットが届かない程度の高さまで無色透明のフィルム或は紫外線カットの透明フィルムを貼着した網戸であって、フィルムは片面でも、両面でもよい。【選択図】  図２
2005264683.tif 000002
【特許請求の範囲】
【請求項１】
網戸の高さに対して中位から下に透明のフィルムを重ねて貼設したことを特徴とした網戸。
【請求項２】
網戸の高さに対して中位から下に透明のフィルムを表裏両面に重ねて貼設したことを特徴とした網戸。
【請求項３】
貼設する透明フィルムは紫外線カットフィルムを用いる請求項１に記載の網戸。
【発明の詳細な説明】
【技術分野】
【０００１】  本発明は、ペット等にひっかき傷を付けられない網戸に関する。
【背景技術】
【０００２】  猫などが家の中にいると、網戸に爪を立てて張網はたちまち破られてしまう。また猫は体を寄せつける習性があり、このため張網が外方に膨れて変形することがある。又、陽あたりの良い場所では畳が陽やけすることが早い。
【特許文献】  特開２０００−１１０４６４号公報
【特許の開示】
【発明が解決しようとする課題】
【０００３】  また、猫に限らず、一般にけん歯類のペットは、犬を含めて上記と同じような行動によって網戸はこわれ易いという難点があり、さらには畳やジュータンが陽やけして変色する欠点があった。
【課題を解決するための手段】
【０００４】  発明者は、この点について鋭意研究を重ねた結果本考案に到達したものであって、本発明は、網戸の下半分位の位置まで透明なフィルム或は紫外線カットのフィルムを重ねて貼設することによって網戸の破れや膨れ又は畳等の変色を防ぐことに成功した。
【発明の効果】
【０００５】  本発明の網戸は上述のように、網戸の下半分位の高さに透明のフィルム或は紫外線カットのフィルムを重ねることにより、網戸は補強されて猫のひっかきによって破れることなく、更には紫外線カットフィルムを使用することにより畳等の陽やけによる変色を防ぎ、また網戸としての機能を損うことがなく透明のフィルムを使用するため、外観も変りがなく極めて便利に使用できる。
【発明を実施するための最良の形態】
【０００６】  添付図面により本発明の実施するための最良の形態を説明すると、図１は通常の網戸Ａの平面図であって、図２は、本発明の網戸Ａ−１の平面図を示すものである。【０００７】  この図２に示す本発明の網戸は、網戸Ａの下側半分に透明のフィルム（２）を重ねて貼設した本発明の網戸Ａ−１の平面図である。
【実施例】
【０００８】  本発明の実施例を説明すると、図１に示す従来の網戸Ａの張網（１）張設する際に透明のフィルム（２）を重ねて張設するものであって、この張設に当っては網（１）と共に戸枠（３）に設けられている溝（図示していない）に詰めゴムによって圧入することによって容易に張設することができる。そして、この透明フィルムは、紫外線カットフィルムを使用することによって陽やけによる畳やジュータンの変色を防ぐ効果もある。【０００９】  また表裏両面に張り合せる場合であっても前記同様にフィルム・張り網・フィルムと３枚を網をサンドイッチ状にして張設することができる。
【産業上の利用分野】
【００１０】  本発明の網戸は、猫に限らず、けん歯類のペットや犬などにも適用でき、透明フィルムの高さは、図示では網戸Ａの高さに対して半分であるが、このフィルム（２）の高さは、ペットの大きさや種類によって、適当に決めることとする。
【図面の簡単な説明】
【００１１】
【図１】  通常の網戸の平面図
【図２】  発明の網戸の平面図
【符号の説明】
【００１２】  （１）…網
（２）…透明フィルム又は紫外線カットの透明フィルム
（３）…戸枠
Ａ…従来の網戸
Ａ−１…本発明の網戸
【図１】
2005264683.tif 000003
【図２】
2005264683.tif 000004
(57)【要約】【課題】  断熱材を窓枠に磁石を介して吸着する事により密閉空気層と高い断熱装置を、簡単に着脱できるように作ることができる。部屋の内側にも付けられる為、従来の雨戸の戸袋がいらなくなり女性、老人にも簡単に着脱が行われ格納する事ができる。【解決手段】  窓の本体（１）の周囲に両面テープ（２）を介してゴム状の磁石（３）を貼る。次に断熱材（５）の周囲にも同様に両面テープ（２）を貼りその上にゴム状の磁石（３）を貼る。以上のように作られた断熱材（５）を磁石の力を介して本体（１）に吸着させる。【選択図】  図１
2005264701.tif 000002
【特許請求の範囲】
【請求項１】
断熱材（５）と本体（１）とを磁石（３）を介して着脱できるようにした事を特徴とする断熱装置。
【請求項２】
弾性体（７）に磁石（３）又は磁着材料をつけたことを特徴とする断熱テープ。
【請求項３】
【請求項２】
を断熱材（５）又は本体（１）に付けた事を特徴とする請求項１記載の断熱装置。
【請求項４】
ガラス（４）に磁石（３）又は磁着材料を入れた事を特徴とする請求項１記載の断熱装置。
【発明の詳細な説明】
【技術分野】
【０００１】  この発明は主に建物の窓における断熱方法に関するものである。
【背景技術】
【０００２】  窓においては雨戸を付けたものやガラス１枚から、２重、複層、更に真空とあり、断熱性能も非常に上がってきている。
【発明の開示】
【発明が解決しようとする課題】
【０００３】  しかしながら上記のように断熱性能が上がれば高価な為設置が困難になる。
窓の断熱においては、夏の冷房と冬の断熱がある。特に冬の断熱は雨戸が主流であり、老人には重く外側に戸袋が必要なため、全ての窓につける事が出来なかった。ガラス面に両面テープで断熱材をつけるものはあるが交換が簡単に出来ず、断熱性能も期待するほどではない。
本考案は上記の課題を解決しようとするものである。．
【課題を解決する為の手段】
【０００４】  以上の課題を解決する為に、第一発明は鉄と磁石の組み合わせにより、断熱材と窓枠本体とを磁石の力で、簡単に着脱できるようにしたものである。
第二発明は従来の断熱テープ自体の弾性体に磁石又は鉄を付けた事を特徴としたものである。
第三発明は第二発明を第一発明に装着して磁石吸着面の凸凹を吸収し隙間の無いようにした事を特徴としたものである。
第四発明はガラス内部に磁石又は磁着材料を組み込み、これに断熱材を磁石の力で着脱出きるようにしたことを特徴とするものである。但し、すでにガラス内部に金属を入れたものはあるが、本発明の様に磁着を目的とするものではなく、磁着不可能である。
【発明の効果】
【０００５】  第一発明によれば磁石の力により簡単に断熱材を着脱することができる。
第二発明を用いれば相手方との密着度を増すことに利用できる。
第三発明は第二発明を用いる事によって相手方との密着度を増し、空気層（６）を静止状態に保つ事ができる
第四発明は相手方に磁石又は鉄の１種類だけ付ければ良いので装置が簡略になる。
【発明を実施するための最良の形態】
【０００６】  この発明の一実施形態を、図１において説明する。
窓の本体（１）の周囲に両面テープ（２）を介してゴム状の磁石（３）を貼る。次に断熱材（５）の周囲にも同様に両面テープ（２）を貼りその上にゴム状の磁石（３）を貼る。以上のように作られた断熱材（５）（本考案では発泡スチロールの断熱材を使用した）を磁石の力を介して吸着させる。磁石は部分的につけても良い。
尚、磁着の組み合わせは磁石と磁着材料をどのように組み合わせても良い。磁着材料とは磁石がつく材料である。断熱材とはプラスチック、発泡スチロール、ガラス、布、目隠し等あるが、相手方につけるものは全て含まれる。【０００７】「実施形態の効果」
この実施形態によれば、従来の窓における断熱は雨戸、２重サッシ、複層ガラス等であったが１枚ガラスでの断熱はなかった。断熱材に発泡スチロールを用いて軽くし女性、老人でも断熱材を窓枠にあてがうだけで簡単に磁着することができる。断熱材全周囲の磁石が密閉状態を作るので断熱材と窓枠との間の空気層（６）が逃げる事がない。更にその外側の断熱材が又断熱作用をするので２重の断熱効果で結露がない。窓枠、空気層、断熱材と全体では３重の断熱効果をもたらす。磁石で密着されている為、風の入るところがなく、風に吹かれても強い。
夏の夜の冷房と騒音のカット又特に密閉性（安心感）の心的効果があり、冷暖房費の節約になる。建物の内側からできるので、雨戸のように戸袋がいらないので全部の窓にできる。又取り外した後の保管は軽い為部屋のどこにでも置くことができる。断熱材も色々あり柔らかい物でも磁石がゴム状であるから、折りたたむ事もできる。【０００８】「他の実施形態」
図３に示すようにガラス（４）に図１と同様の仕様を施しても良い。
図４に示すように部屋の内部にも磁石と磁着材料との組み合わせで断熱材を吸着させても良い。尚この場合は交換可能な装飾品としても利用できる。
【図面の簡単な説明】
【０００９】
【図１】（Ａ）窓枠本体に断熱材を付けた断面図。（Ｂ）（Ａ）の正面図
【図２】磁石を付けた断熱テープ自体の斜視図。
【図３】（Ａ）ガラスに断熱材を付けた断面図。（Ｂ）（Ａ）の正面図
【図４】部屋の壁に断熱材を付けた簡略図。
【符号の説明】
【００１０】    １本体、２両面テープ、３磁石、４ガラス、５断熱材、６空気層、７弾性体  ８壁
【図１】
2005264701.tif 000003
【図２】
2005264701.tif 000004
【図３】
2005264701.tif 000005
【図４】
2005264701.tif 000006
【手続補正書】
【提出日】平成16年5月24日(2004.5.24)
【手続補正１】
【補正対象書類名】特許請求の範囲
【補正対象項目名】全文
【補正方法】変更
【補正の内容】
【特許請求の範囲】
【請求項１】
断熱材（５）と本体（１）とを磁石（３）を介して着脱できるようにした事を特徴とする断熱装置。
【請求項２】
弾性体（７）に磁石（３）又は磁着材料をつけたことを特徴とする断熱テープ。
【請求項３】
請求項２を断熱材（５）又は本体（１）に付けた事を特徴とする請求項１記載の断熱装置。
【請求項４】
ガラス（４）に磁石（３）又は磁着材料を入れた事を特徴とする請求項１記載の断熱装置。